(57)【要約】  【課題】  編糸の使用量を抑えて製造コストの削減を図り、基布は糸ずれのない安定した基布から形成した面ファスナーの雌部材を提供する。  【解決手段】  経編組織の面ファスナーの雌部材は、鎖編糸４、トリコット編糸５、緯挿入糸６の３種類の編糸によって経編地を編成し、鎖編糸４は編針１５を１本飛越してウエール８を編成し、以下同様に編成して３本のウエール８間に緯挿入糸６を絡ませ、すなわち５針間に挿入して粗目の経編地を編成し、各ウエール８にトリコット編糸５を編み込んで基布１の一面にループ２を形成した粗目の経編地で編目のずれ動きを阻止した面ファスナーの雌部材である。【選択図】  図１
2005118360.tif 000002
【特許請求の範囲】
【請求項１】
単数または複数の編針を飛越して鎖編糸４によるウエールを形成し、３本のウエール８にわたって緯挿入糸６を絡げて基布１を形成し、各ウエール８にトリコット編糸５を絡げて基布１の一面にループ２を形成してなることを特徴とする面ファスナーの雌部材。
【請求項２】
鎖編糸４は１−０／０−１、緯挿入糸６は０−０／５−５、トリコット編糸５は１−０／１−２または１−０／２−１の編組織で形成した請求項１記載の面ファスナーの雌部材。
【請求項３】
基布１の一面に樹脂フィルム１０をラミネート加工によって貼着してなる請求項１記載の面ファスナーの雌部材。
【請求項４】
貼着したフィルム１０の表面に接着剤層１２を配し、接着剤層１２の外面に剥離紙１３を貼着してなる請求項３記載の面ファスナーの雌部材。
【発明の詳細な説明】
【技術分野】
【０００１】
この発明は、面ファスナーに用いる経編組織から形成され、編糸は鎖編糸、緯挿入糸、トリコット編糸の３種類の編糸から編成された使い捨ておむつに用いる面ファスナーの雌部材に関するものである。
【背景技術】
【０００２】
従来、図４に示すように、ポリエステル糸を用いて鎖編糸０−１／１−０、緯挿入糸０−０／ｎ−ｎ、トリコット編糸１−０／２−１または１−０／４−３を用いて１針置きに鎖編ウエールを形成し、多数の鎖編ウエールにわたって緯挿入糸を挿通して基布を形成し、１鎖編ウエールにトリコット編糸を絡げて基布の一面にループを形成した面ファスナーの雌部材が知られている。
【特許文献１】特開昭５８−１８６６４７号公報
【発明の開示】
【発明が解決しようとする課題】
【０００３】
前述の図４に示した面ファスナーの雌部材は、鎖編糸を緯挿入糸との関係は、緯挿入糸が単に鎖編ウエールの中を挿通した状態であるから、鎖編ウエールに引っ張り力が作用したとき、簡単に鎖編ウエールが緯挿入糸上をずれ動き、結果的に緯挿入糸を毛羽立たせて損傷し、あるいは基布が不安定な状態であるなど問題点がある。
【０００４】
この発明は、上述の問題点を考慮して発明されたものであり、請求項１記載の発明は編目の粗い経編組織の面ファスナーの雌部材を編成するのに、編糸の使用量を抑えて製造コストの削減を図り、かつ面ファスナーの基布は糸ずれのない安定した基布から編成された面ファスナーの雌部材を提供することが主たる目的である。
【０００５】
請求項２記載の発明は、請求項１記載の発明の目的に加え、低コストおよび安定した面ファスナーを編成するのに必要な最低限の種類の編糸を特定し、理想的な面ファスナーを効率よく編成できる面ファスナーの雌部材を提供することが目的である。
【０００６】
請求項３記載の発明は、請求項１記載の発明の目的に加え、基布の一面すなわち裏面に樹脂フィルムを裏打ちし、粗目の基布を簡単に補強して強固な面ファスナーの雌部材を提供することが目的である。
【０００７】
請求項４記載の発明は、請求項３記載の発明の目的に加え、使い捨ておむつに面ファスナーを取付け、および取扱いがきわめて簡便にできる面ファスナーの雌部材を提供することが目的である。
【課題を解決するための手段】
【０００８】
前記の目的を達成するため、この発明のうち請求項１記載の発明は、経編機における単数または複数の編針１５を飛越して、すなわち編針１５を飛ばして鎖編糸４によるウエール８を編成し、３本のウエール８にわたって緯挿入糸６を絡げて基布１を編成し、各ウエール８にトリコット編糸５を絡げて基布１の一面すなわち表面にループ２を編成した面ファスナーの雌部材を主な構成とするものである。
【０００９】
請求項２記載の発明は、請求項１記載の発明の構成に加え、面ファスナーの雌部材における編糸の鎖編糸４は１−０／０−１、緯挿入糸６は０−０／５−５、トリコット編糸５は１−０／１−２または１−０／２−１の編組織で編成した面ファスナーの雌部材である。
【００１０】
請求項３記載の発明は、請求項１記載の発明の構成に加え、面ファスナーの雌部材における基布１の一面すなわち裏面に樹脂フィルム１０をラミネート加工によって貼着した面ファスナーの雌部材である。
【００１１】
請求項４記載の発明は、請求項３記載の発明の構成に加え、基布１の裏面に貼着した樹脂フィルム１０の表面に接着剤層１２を配設し、この接着剤層１２の外面に剥離紙１３を貼着した面ファスナーの雌部材である。
【発明の効果】
【００１２】
この出願の発明の効果として、請求項１記載の発明は、単数または複数の編針を飛越して鎖編ウエールを形成し、３本の鎖編ウエールにわたって緯挿入糸を絡げて基布を形成し、各鎖編ウエールにトリコット編糸を絡げて基布の一面にループを形成したことによって、粗目の経編地を低コストで編成することができ、かつ鎖編ウエールは緯挿入糸によりコース毎に右側、次は左側と交互に絡んでいることによって、編目が目ずれを起こさない安定した経編地から面ファスナーを作製することができる効果がある。
【００１３】
請求項２記載の発明は、請求項１記載の発明の効果に加え、鎖編糸は１−０／０−１、緯挿入糸は０−０／５−５、トリコット編糸は１−０／１−２または１−０／２−１の編組織で形成したことによって、粗目の経編地を編成するのに最低限必要な編糸で、かつ理想的な編組織の編糸によって編成できる効果がある。
【００１４】
請求項３記載の発明は、請求項１記載の発明の効果に加え、基布の一面に樹脂フィルムをラミネート加工によって貼着したことにより、粗目の経編地を簡単な加工により裏打ち補強することができ、強固な面ファスナーに仕上げることができる効果がある。
【００１５】
請求項４記載の発明は、請求項３記載の発明の効果に加え、貼着したフィルムの表面に接着剤層を配し、接着剤層の外面に剥離紙を貼着したことによって、裏打ち補強された経編地の面ファスナーを簡易に使用製品に取付けることができ、かつ取扱いが簡便にできる効果があるなど、この発明が奏する効果はきわめて顕著である。
【発明を実施するための最良の形態】
【００１６】
この発明における経編組織による面ファスナーの雌部材は、素材としてポリエステル繊維のマルチフィラメントの編糸を用いるのが好ましく、例えば鎖編糸４、トリコット編糸５、緯挿入糸６の３種類の編糸によって経編地を編成する。鎖編糸４を１−０／０−１の編組織でウエール８を編成し、編針１５を１本飛越してウエール８を形成し、以下同様に形成する。編成された３本のウエール８間にわたって緯挿入糸６を０−０／５−５を編組織で絡ませ、すなわち５針間に挿入して粗目の経編地の基布１を編成し、各ウエール８にトリコット編糸５を１−０／１−２または１−０／２−１の編組織で絡げてループ２を経編地の基布１の一面に形成する。なおポリエステル繊維は、５６Ｔ／２４ｆの仕様の糸を鎖編糸４、トリコット編糸５、緯挿入糸６の各編糸に用いる。
【００１７】
粗目の経編地の基布１の裏面にポリエチレン、ポリ塩化ビニル、ポリアミドなどの樹脂フィルム１０を貼着して経編地の基布１を補強し、さらに必要なときは基布１に貼着した樹脂フィルム１０の表面にゴム系、樹脂系による使用製品に接着できる接着剤層１２を設け、この接着剤層１２の外面に剥離紙１３を配した面ファスナーの雌部材である。
【実施例１】
【００１８】
図１，２に示す実施例１の面ファスナーの雌部材について説明すると、図１に示すように経編組織による面ファスナーは、鎖編糸４、トリコット編糸５、緯挿入糸６の３種類の編糸を用いて経編地を編成する。編糸の素材はポリエステル繊維のマルチフィラメントから形成し、糸は５６Ｔ／２４ｆの仕様で鎖編糸４、トリコット編糸５、緯挿入糸６にそれぞれ用いる。鎖編糸４は編組織１−０／０−１によって経編機の編針１５を１本おきに配し、すなわち編針１５を１本飛越して鎖編ウエール８を編成する。従って各ウエール８は編針１５を１本飛越して編成し、この鎖編ウエール８に編針１５を５針間にわたって挿入する緯挿入糸６を絡げ、鎖編ウエール８を最初のコース９では左側から絡んだ後右方向へ、次のコース９では右側から絡んだ後左方向へスイングして編成し、粗めの経編地であるが編目の左右へのずれ動きを阻止し安定した経編地を形成する。なおウエール８を形成するのに編針１５を１本おきでなく２本おきまたは数本おきに鎖編糸４を配して、粗目の経編地を編成することもできる。
【００１９】
編針１５を１本おきに形成した鎖編ウエール８には、２本の編針１５に跨って絡げられるトリコット編糸５を、一方が鎖編糸４と一緒に絡げられ、他方が編針１５に絡げ、編成が進行すると単に編針１５に絡げたトリコット編糸５は編針１５から離脱して、１本の鎖編ウエール８上にループ２を形成する。この際トリコット編糸５がウエール８に編み込まれるときは、鎖編糸４と一緒であるが、編針１５に絡げるときは、編組織が閉じ目でも開き目でもループ２を形成するのにはいずれであってもよい。なおウエール８の鎖編糸４と共に絡げるとき、トリコット編糸５は閉じ目でなくとも開き目の編目であっても差支えない。
【００２０】
上述のように粗目の経編地に編成した基布１は、ループ２が存在しない裏面にポリエチレン、ポリ塩化ビニル、ポリアミドなどの二軸延伸フィルム１０をラミネート加工によって貼着し、すなわち粗目の経編地を裏打ち補強して編糸の偏倚を防ぎ、強固な粗目の経編地の基布１に形成する。この基布１は使用製品例えば使い捨ておむつなどの表面へ接着あるいは縫着して使用する。
【実施例２】
【００２１】
図３に示す実施例２の面ファスナーの雌部材は、実施例１の粗目の経編地の基布１の裏面に樹脂フィルム１０をラミネート加工によって貼着した面ファスナーの樹脂フィルム１０の表面へ樹脂系の接着剤またはゴム系の接着剤を塗着または貼着して接着剤層１２を設け、この接着剤層１２の外表面に剥離紙１３を貼着し、取扱いまたは取付作業の便宜を図った面ファスナーの雌部材であり、使用の際は剥離紙１３を剥がして使用製品の表面へ接着固定するものである。
【産業上の利用可能性】
【００２２】
この発明の面ファスナーの雌部材の活用例として、使い捨ておむつの前覆部の左右に面ファスナーの雌部材を接着し、腰当部の左右の取付片に設けた面ファスナーの雄部材と係脱自在に形成し、おむつの使用の際は勿論、使用後おむつを捨てるときも簡単に包装できるものである。
【図面の簡単な説明】
【００２３】
【図１】面ファスナーの雌部材の編組織図である。
【図２】同上面ファスナーの雌部材の要部の拡大図である。
【図３】面ファスナーの雌部材の裏面に接着剤層を設けた断面図である。
【図４】公知の面ファスナーの雌部材の編組織図である。
【符号の説明】
【００２４】
１            基布
２            ループ
４            鎖編糸
５            トリコット編糸
６            緯挿入糸
８            ウエール
１０            フィルム
１２            接着剤層
１３            剥離紙
１５            編針
【図１】
2005118360.tif 000003
【図２】
2005118360.tif 000004
【図３】
2005118360.tif 000005
【図４】
2005118360.tif 000006